(57)【要約】      （修正有）【課題】ラック転倒防止と、ラック転倒防止用のスタビライザーを不要又は小さなスタビライザーとすることのできる、複数ユニット同時引き出し防止機構および複数ユニット同時引き出し装置を提供する。【解決手段】ラックにスライドレール等により摺動可能に支持されるユニットの側面に、４つの溝を有する側面板と、ユニットの高さとほぼ同じ長さで、回転および上下方向に摺動自在に支持され３つの突起を有するストッパーとを備え、このストッパーの突起とユニット側面板の溝とが嵌合することにより、複数のユニットを同時に引き出すことを阻止するように構成した。【選択図】図８
2008004709.tif 000002
【特許請求の範囲】
【請求項１】
ラックに引出し可能に支持されたユニットに、複数の溝を有する側面板と、ユニットの高さとほぼ同じ長さで、回転および上下方向に摺動自在に支持され、複数の突起を有するストッパーを備え、前記側面板の溝と前記ストッパーとの嵌合状態に応じ、複数のユニットの同時引出しを阻止するユニット同時引出し防止機構。
【請求項２】
ラックに垂直方向に多段積み状態に、且つ水平方向に引出し可能に支持された複数のユニットと、
前記ユニットの側面にリング状カナグで、回転および上下方向に摺動可能に支持され、ラックに搭載されているユニットと同数、多段積み状態でユニットの側面に設けられ、円柱状の軸を有する単体ストッパーからなる複数のストッパーと、
前記ユニットの側面に設けられ、複数の溝を有する側面板と
を有し、
前記単体のストッパーは、
同一高さ位置に相互にほぼ直角方向に、且つストッパー軸面に対して水平面方向に伸びる２つの突起Ａ、Ｃと、前記突起の上位の、ユニットの高さとほぼ同じ寸法の位置に、１つの突起Ｂとを有するものであり、
前記側面板には、ユニットの引出し方向に沿って連続した鉛直部と水平部と傾斜部からなる溝Ａと、前記突起の径と嵌合する半円状の溝Ｂと、
側面板の上部のラック後面の位置と、側面板の下部のラック前面の位置とに、それぞれ設けられた引出し方向に長い長方形状の溝Ｃ、Ｄと、
が設けられ、
前記ユニットを引き出す動作と連動して、ストッパーの突起Ａが前記溝Ａの傾斜方向に沿って移動／上昇することに伴い、軸が回転／上昇して、該ユニットより上部に搭載されているユニットの溝Ａの垂直部分に嵌合して引き出しを阻止するように働くと共に、該ユニットに対応する突起Ｃが溝Ｃの位置にくることにより、該ユニットはさらに引出し可能となり、
複数のユニットを同時に引き出そうとした場合の上部のユニットでは、ストッパーの突起Ｂが前記溝Ｂに入り込むことにより、それ以上の引出しが阻止され、
既に引き出されたユニットの下部のユニットを引き出そうとした場合には、突起Ｃが側面板の溝のない部分に当たりストッパーが回転できないため、それ以上の引出しが阻止される、
ことを特徴とする複数ユニット同時引出し防止装置。
【発明の詳細な説明】
【技術分野】
【０００１】
本発明は、ディスクアレイ装置をはじめとする、装置内にスライドレール等により引き出すユニットを有する電子機器装置に係わり、ユニットを複数個同時に引き出せないような構造に関する。
【背景技術】
【０００２】
ラック構造の電子装置においては、ラックに複数の電子機器のユニットを搭載し、保守その他の利便性から、スライドレール等により各ユニットを引き出せる構造が一般的である。図１は、このようなラック構造の一般的電子装置の外観図である。図１において、１はラック、２はユニット、３はスタビライザー、４はスライドレールである。図１（ａ）はラック構造の電子装置の外観図、図１（ｂ）は、ラック１に搭載されているユニット２をスライドレール４により手前に引き出した状態を示す外観図であり、転倒を防止するためのスタビライザー３が床面に接する形で最下部に設けられている。図１（ｃ）は、複数のユニット２を同時に引き出した場合に転倒の恐れが生じることを示す外観図であり、特に上部の複数ユニット２を同時に引き出した場合には、かなり大きなスタビライザー３を設けても不安定となり、わずかな衝撃でも転倒しかねない。
【０００３】
そこで、各ユニット２を引き出した場合に、ラック１自体が転倒することを防止するために、従来のストッパー構造でも、一つずつ引き出し他のユニット２を引き出せない構造をとっている。例えば、特許文献１では、ユニットの側面に設けたスリットにロックピンを係合させて、ロックピン付きの軸の上下動でロックする構造が開示されている。
【０００４】
しかし、この特許文献１では、全く同時に複数個を引き出そうとした場合には、該複数のスリットにおいて、傾斜部から水平部にスライドすることが可能であるため、複数ユニットの引出し防止が働かない構造であり、複数個を全く同時に引き出そうとした場合でも有効なストッパー構造のものはなかった。
【特許文献１】実開昭５８−０４９４７７号公報（第１−２頁、第１−５図）
【発明の開示】
【発明が解決しようとする課題】
【０００５】
本発明はラック転倒防止を意図として、ラックに搭載されたユニットを複数個同時には引き出せないような構造にし、併せてラック転倒防止用のスタビライザーを不要又は小さなスタビライザーとする構造を提供することを目的とする。
【課題を解決するための手段】
【０００６】
本発明によるラック転倒防止構造では、ラックにスライドレール等により摺動可能に支持されるユニットの側面に、４つの溝を有する側面板と、ユニットの高さとほぼ同じ長さで、回転および上下方向に摺動自在に支持され３つの突起を有するストッパーとを備え、このストッパーの突起とユニット側面板の溝とが嵌合することにより、複数のユニットを同時に引き出すことを阻止するように構成する。
【発明の効果】
【０００７】
本発明によるラック転倒防止構造では、簡単なストッパー構造で複数のユニットを同時に引き出すことを阻止できるので、ユニット引出し時のラック転倒の懸念は無用であり、また小さなスタビラーザーで十分であるため、設置面積も少なくてすむ。更に、ストッパーが壊れた場合、該当部分のストッパー単体だけを交換すればよく、修理が簡単である、といった効果を有する。
【発明を実施するための最良の形態】
【０００８】
ラックの転倒防止のためラックに搭載されたユニットを複数個同時には引き出せない構造にするという目的を、ユニットの側面に設けた３つの突起を有する回転可能なストッパーと側面板に設けた４つの溝との組合せにより、同時引出しを阻止する構造を実現した。
（実施例）
図２は本発明の１実施例のユニット斜視図であり、スライドレール４とストッパー構造を側面に設けた、４個の引き出し可能ユニット２の外観を示すものである。図３は本発明の１実施例のユニット収納状態を示す側面図であり、例として２個のユニット２をラック１に搭載して収納し、引き出していない状態を示すもので、図２、図３において５はストッパー、６は側面板、７〜９はそれぞれストッパー５に設けられた突起Ａ，Ｂ，Ｃで、１０はストッパー５の軸である。
【０００９】
次に図４、図５によりストッパー５の構造を説明する。図４は本発明の複数のストッパーの外観図、図５はストッパー単体の外観図である。図５において、１１はストッパーの軸１０を担持するリング状の支持カナグ、１２はストッパー５の上下の面である。突起Ａ−７、突起Ｂ−８は、軸１０に対してほぼ同じ角度位置に設けられ、突起Ｃ−９は突起Ａ−７に対して、ほぼ９０度の角度の位置に設けられている。このような７〜１１の部材から構成されるストッパー５単体が、ラック１に搭載されるユニット数と同数、組み合わされて、図４に示す複数のストッパーとなっており、各ストッパー単体はリング状の上下２個の支持カナグ１１により、後述するユニットの側面部に取り付けられ、且つ、各ストッパーは上下の面１２により他の上下のストッパーと単純に重ね合わされている状態で、回転及び上下方向に摺動自在に支持されている。
【００１０】
次にユニット側の構造詳細を図６、図７により説明する。図６は本発明のユニット詳細の斜視図、図７は本発明のユニット詳細の側面図である。図６、図７において、１３はユニット２のスライドレール４の下部の側面板６に設けられた溝Ａ、１４は側面板６に設けられた溝Ｂ、１５は側面板６の上部のラック奥方向に設けられた溝Ｃ、１６は６の下部のラック手前方向に設けられた溝Ｄである。また、溝Ａ−１３の左右の最上位の位置はほぼ同じ高さであり、また同図の溝Ａ−１３の右側の最下点を１７とし、溝Ａ−１３の左側上部のほぼ同じ高さの側面板６の溝のない側面部分を１８とする。図１〜図７、及び以下の図面において、同一部品には同一符号を付し、説明は省略する。
【００１１】
このようなストッパー構造とユニットに設けられた溝の構造により、図８の１個のユニットを引き出した状態１の説明図、及び図９の１個のユニットを引き出した状態２の説明図により、他のユニットの引き出しができなくなる仕組みを説明する。図８（ａ）では、例として４個のユニットの下から２番目のユニットを引き出した場合の斜視図であり、ストッパーと溝の関係を示す拡大図を左側の図８（ｂ）の円で囲った部分に示す。図８において、ストッパーの突起Ａ−７はユニットを引き出さない状態では、図６、図７の溝Ａ−１３の右側の最下点１７の位置にあり、引き出されたユニットにおいては、突起Ａがユニットの溝に沿って最下点１７から左側の上方向に移動することにより、該ストッパーが上方向に移動する。このため、該ユニットより上部に搭載されているユニットにおいて、突起Ａ−７が、それぞれのユニットの溝Ａの１７の位置から、そのまま真上に押し上げられるため、突起Ａ−７と溝Ａ−１３が嵌合状態になってストッパーとして機能するため、該ユニットの上部に搭載されているユニット２は全て、引き出せなくなる構造となっている。
【００１２】
図８の状態から、さらに該ユニットを引き出した場合、図９の１個のユニットを引き出した状態２の説明図に示すように、ユニットの引き出しに伴ってストッパーＡ−７が約９０度右回転し、軸１０が右回転しながらストッパーＣ−９は溝Ｃ−１５の位置に入るが、その左側にはストッパーＣ−９と当接する構造はないため、さらにユニット２を引き出すことができる。
【００１３】
図１０は、本発明の並んだ２個のユニットを同時に引き出した状態の説明図であり、同図において下位の２個のユニットを引き出そうとする場合、それより上部に搭載されているユニットは先に説明した通り、突起Ａ−７が溝Ａ−１３に入り込んだため、引き出すことができない。次に最下位のユニットを引き出そうとして、溝Ａ−１３と突起Ａ−７の嵌合により、最下位に対応するストッパーの軸は持ち上げられ、その上位のユニットもほぼ同時に引き出されているため、最下位のストッパーの突起Ｂ−８が、その上位のユニットの側面板の溝Ｂ−１４に入り込むことにより、これ以上引き出すことができなくなる。また、同時にこのために軸１０もこれ以上回転できないため、同一ストッパーに属する突起Ａ−７により最下位のユニットもこれ以上引き出すことができなくなり、２つのユニットをほぼ同時に引き出そうとしても、わずかに引き出されるだけでそれ以上引き出されることはない。溝Ｂ−１４の幅を大きめにすれば、完全に同時ではなく、ほぼ同時であっても同じように機能させることができる。また、すでに説明した通り、それより上部に搭載されているユニットは、突起Ａ−７が溝Ａ−１３に入り込んだため、引き出すことはできない。
【００１４】
図１１、図１２は、離れた２個のユニットを同時に引き出した状態を説明するものである。図１１の離れた２個のユニットを同時に引き出した状態１の説明図では、最下位と下から３番目のお互いに離れたユニットをほぼ同時に引き出そうとした場合、引き出していない２番目、４番目のユニットは、溝Ａ−１３に突起Ａ−７が入りこんで引き出すことが出来ないのは図１０の説明と同様である。ほぼ同時に引き出そうとした３番目のユニットは溝Ｂ−１４に突起Ｂ−８が入りこんでそれ以上引き出すことはできないが、図１２の離れた２個のユニットを同時に引き出した状態２の説明図に示すように、最下位のユニットはさらに引き出すと、ストッパー軸１０が回転して溝Ｃ−１５の位置に突起Ｃ−９がくるため、図示していないがスライドレール４のストップ機能等による所定の位置まで、さらに引き出すことができる。
【００１５】
図１３は上の１個のユニットがすでに引き出された状態で、下の別のユニットを引き出すケースである。上のユニットが引き出されているため、突起Ｂは側面板の下面に当たるため、下位のユニットではこれ以上ストッパーが上に行かない。そこで、下位のユニット、同図では下から２番目のユニット、を引き出そうとした場合、突起Ａは上がることができず、このため、突起Ｃ−９が側面板６の溝のない側面部１８に当たり、ストッパーが回転できず突起Ａ−７と突起Ｃ−９が側面板６に対してロック状態として働くため、ユニット２を引き出すことができない。
【００１６】
図１４は本発明のストッパー交換の説明図であり、本発明ではストッパー５が壊れた場合でも、複数のストッパーは単体のストッパー毎に分かれているため、全体を交換する必要が無い。
【図面の簡単な説明】
【００１７】
【図１】ラック構造の一般的電子装置の外観図
【図２】本発明の１実施例のユニット斜視図
【図３】本発明の１実施例のユニット収納状態を示す側面図
【図４】本発明の複数のストッパーの外観図
【図５】本発明のストッパー単体の外観図
【図６】本発明のユニット詳細の斜視図
【図７】本発明のユニット詳細の側面図
【図８】本発明の１個のユニットを引き出した状態１の説明図
【図９】本発明の１個のユニットを引き出した状態２の説明図
【図１０】本発明の並んだ２個のユニットを同時に引き出した状態の説明図
【図１１】本発明の離れた２個のユニットを同時に引き出した状態１の説明図
【図１２】本発明の離れた２個のユニットを同時に引き出した状態２の説明図
【図１３】本発明の上の１個のユニットが既に引き出された状態で、下の別のユニットを引き出すケース
【図１４】本発明のストッパー交換の説明図
【符号の説明】
【００１８】
１  ラック
２  ユニット
３  スタビライザー
４  スライドレール
５  ストッパー
６  側面板
７  突起Ａ
８  突起Ｂ
９  突起Ｃ
１０  軸
１１  リング
１２  ストッパーの上下の面
１３  溝Ａ
１４  溝Ｂ
１５  溝Ｃ
１６  溝Ｄ
１７  最下点
１８  溝のない側面部
【図１】
2008004709.tif 000003
【図２】
2008004709.tif 000004
【図３】
2008004709.tif 000005
【図４】
2008004709.tif 000006
【図５】
2008004709.tif 000007
【図６】
2008004709.tif 000008
【図７】
2008004709.tif 000009
【図８】
2008004709.tif 000010
【図９】
2008004709.tif 000011
【図１０】
2008004709.tif 000012
【図１１】
2008004709.tif 000013
【図１２】
2008004709.tif 000014
【図１３】
2008004709.tif 000015
【図１４】
2008004709.tif 000016